【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】
パターン提示ユニットと、
人からの入力の受信動作を行う入力装置と、
前記パターン提示ユニットを通して前記人に、順次に提示する検査パターンの配列を生成するのに適合し、少なくともいくつかの検査パターンに関して前記人が受ける複数の競合刺激を生成するのに適合し、前記入力装置を通して、少なくとも一つの前記検査パターンに対して、検査パターンの知覚画像と前記検査パターンとの間の相違を表す入力標示を受信するのに適合し、及び、人の視界に関する情報を判断するために、前記受信された入力標示の前記配列を分析するのに適合した、処理ユニットと、
を備えた眼の分析のための装置において、
検査パターンの前記配列の前記競合刺激が、複数の異なる刺激を含む、装置。
【請求項２】
前記処理ユニットが、前記入力標示に対応する前記競合感覚刺激の前記大きさに、少なくとも部分的に、応答する前記入力標示を分析する、請求項１に記載の装置。
【請求項３】
前記処理ユニットが、前記人が眼病を有するか否かを判断するのに適合する、請求項１又２に記載の装置。
【請求項４】
前記処理ユニットが、前記人が確定した眼病の臨床病期グループに属するか否かを判断するのに適合する、請求項１ないし２のいずれかに記載の装置。
【請求項５】
前記眼病が、加齢性黄斑変性病、脈絡膜新生血管、眼ヒストプラスマ症、近眼から成るグループから選択される、請求項３又は４に記載の装置。
【請求項６】
前記眼病が、中心性漿液性網膜症、中心性漿液性脈絡膜症、緑内障、糖尿病性網膜症、中膜混濁、白内障、網膜色素変性、視神経炎、網脈絡膜異常、網膜上膜、血管異常、血管閉塞、脈絡膜のジストロフィー、網膜のジストロフィー、黄斑円孔、脈絡膜変性、網膜変性、水晶体異常から成るグループから選択される、請求項３又は４に記載の装置。
【請求項７】
前記入力装置が、前記知覚画像と前記検査パターンとの間の相違の、前記パターン内での、位置の標示を受信するのに適合する、請求項１ないし６のいずれかに記載の装置。
【請求項８】
少なくとも一つの前記検査パターンに対応する前記生成された競合刺激が、少なくとも部分的に、前記検査パターンの表示の前又は後に、前記人に提供される、請求項１ないし７のいずれかに記載の装置。
【請求項９】
少なくとも一つの検査パターンに対応する、前記生成された競合刺激が、少なくとも部分的に、前記検査パターンの前記表示より短い期間、前記人に提供される、請求項１ないし８のいずれかに記載の装置。
【請求項１０】
前記生成された競合刺激が、前記検査パターンに含まれない、請求項１ないし９のいずれかに記載の装置。
【請求項１１】
前記生成された競合刺激が、前記パターン提示ユニットにより、患者に提示される、請求項１ないし１０のいずれかに記載の装置。
【請求項１２】
少なくとも一つの前記競合感覚刺激が、前記検査パターンのセグメントの霞みを含む、請求項１１に記載の装置。
【請求項１３】
少なくとも一つの前記競合感覚刺激が、前記検査パターンのセグメントの前記形状の変化を含む、請求項１１に記載の装置。
【請求項１４】
前記処理ユニットが、少なくとも一つの前記人の前記入力を、前記入力が競合刺激によるものである確率を判断するために、分析する、請求項１１に記載の装置。
【請求項１５】
前記処理ユニットが、前記入力標示に、前記標示と前記競合刺激との間の距離に応答した重みを割り当てるのに、適合する、請求項１１ないし１４のいずれかに記載の装置。
【請求項１６】
前記配列の異なる検査パターンが、前記患者に、前記患者の網膜の異なる位置にそれらが現れるように、提示される、請求項１ないし１５のいずれかに記載の装置。
【請求項１７】
スピーカを備えた装置であって、前記競合刺激が、前記スピーカを通して、前記に人に提供される請求項１ないし１６のいずれかに記載の装置。
【請求項１８】
前記人に触覚刺激を提供するのに適合した、競合刺激生成ユニットを備える、請求項１ないし１７のいずれかに記載の装置。
【請求項１９】
前記投射ユニットが、コンピュータディスプレイ装置又はビーム走査装置を備える、請求項１ないし１８のいずれかに記載の装置。
【請求項２０】
検査パターンの前記配列の前記競合刺激が、少なくとも一つのパラメータの複数の異なる大きさのレベルをもつ刺激を含む、請求項１ないし１９のいずれかに記載の装置。
【請求項２１】
前記検査パターンの配列の前記競合刺激が、複数の異なるタイプの刺激を含む、請求項１ないし２０のいずれかに記載の装置。
【請求項２２】
前記検査パターンの配列の前記競合刺激が、複数の異なる治療法の刺激を含む、請求項１ないし２１のいずれかに記載の装置。
【請求項２３】
前記処理ユニットの前記分析が、対応する同一の競合刺激を有する検査パターンの少なくとも一つのグループに関する競合度を判断すること、及び、前記競合度に応答する前記人の前記視界に関する情報を判断すること、を含む、請求項１ないし２２のいずれかに記載の装置。
【請求項２４】
前記処理ユニットの前記分析が、少なくとも部分的に、前記検査パターンの位置に基づく、請求項１ないし２３のいずれかに記載の装置。
【請求項２５】
前記処理ユニットの前記分析が、少なくとも部分的に、前記検査パターンの向きに基づく、請求項１ないし２４のいずれかに記載の装置。
【請求項２６】
第１の期間に渡って、前記検査パターンの知覚画像を前記人に形作らせることを許容する検査パターンを提示することと、前記人が相違を認識した場合に、前記知覚画像と前記検査パターンとの間の相違を示す入力を受信することと、前記提示及び受信が、一回又はそれ以上反復されること、そこでは、少なくとも一つの前記反復において、前記人に知覚される競合感覚刺激が生成されるが、その反復されることと、及び、前記人の視界に関する情報を判断するために、前記受信した入力を分析すること、そこでは、前記分析が、少なくとも部分的に、前記競合感覚刺激一つ又はそれ以上の特性に応答するが、その分析することと、
を含む人の前記視界に関するデータを取得するための方法。
【請求項２７】
前記第一の期間が、１００−１６０ミリセカンドの範囲内である、請求項２６に記載した方法。
【請求項２８】
前記受信された入力を分析することが、人が眼病を有するか否かを判断するために分析することを含む、請求項２６又は２７に記載した方法。
【請求項２９】
前記受信した入力を分析することが、前記人が、確定した眼病の臨床病期グループに属するかを判断することを含む、請求項２６ないし２８のいずれかに記載した方法。
【請求項３０】
前記眼病が、加齢性黄斑変性病、脈絡膜新生血管、眼ヒストプラスマ症、近眼、中心性漿液性網膜症、中心性漿液性脈絡膜症、緑内障、糖尿病性網膜症、中膜混濁、白内障、網膜色素変性、視神経炎、網膜上膜、血管異常、血管閉塞、脈絡膜のジストロフィー、網膜のジストロフィー、黄斑円孔、脈絡膜変性、網膜変性、水晶体異常、及びこれらの組合せから成るグループから選択される、請求項２６ないし２９のいずれかに記載した方法。
【請求項３１】
前記分析が、少なくとも部分的に、前記競合感覚刺激の前記大きさに応答する、請求項２６ないし３０のいずれかに記載した方法。
【請求項３２】
前記分析が、少なくとも部分的に、前記検査パターンの前記位置及び／又は向きに応答する、請求項２６ないし３１のいずれかに記載した方法。
【請求項３３】
前記分析が、少なくとも部分的に、前記知覚画像及び前記検査パターンの間の前記相違の前記パターンの範囲内にある、患者の標示位置に応答する、請求項２６ないし３２のいずれかに記載した方法。
【請求項３４】
前記反復の少なくとも一つにおける前記競合刺激が、前記検査パターンの前記提示の前のみに提示される、請求項２６ないし３３のいずれかに記載した方法。
【請求項３５】
前記反復の少なくとも一つにおける前記競合刺激が、前記第一の期間の少なくとも一部分の間のみに提示される、請求項２６ないし３４のいずれかに記載した方法。
【請求項３６】
前記反復の少なくとも一つにおける前記競合刺激が、前記第一の期間の少なくとも一部分の後に提示される、請求項２６ないし３５のいずれかに記載した方法。
【請求項３７】
前記人が、実質的に前記第一の期間と同時である時間中、前記競合感覚刺激を、受ける、請求項２６ないし３６のいずれかに記載した方法。
【請求項３８】
少なくとも一つの前記競合刺激が、前記人が前記刺激を受けている前記時間を超えて変化する刺激を含む、請求項２６ないし３７のいずれかに記載した方法。
【請求項３９】
前記競合刺激が、聴覚刺激を含む、請求項２６ないし３８のいずれかに記載した方法。
【請求項４０】
前記競合刺激が、視覚刺激を含む、請求項２６ないし３９のいずれかに記載した方法。
【請求項４１】
前記競合刺激が、触覚刺激を含む、請求項２６ないし４０のいずれかに記載した方法。
【請求項４２】
前記競合刺激が、侵害刺激又は体性感覚刺激を含む、請求項２６ないし４１のいずれかに記載した方法。
【請求項４３】
前記競合刺激が、前記検査パターンの歪みではない、請求項２６ないし４２のいずれかに記載した方法。
【請求項４４】
前記競合刺激が、少なくともいくつかの前記反復によって異なる、請求項２６ないし４３のいずれかに記載した方法。
【請求項４５】
異なる反復における前記競合刺激が、前記第一の期間と比較して、異なる期間又は異なる開始時間を有する、請求項４４に記載した方法。
【請求項４６】
異なる反復における前記競合刺激が、異なる大きさを有する、請求項４４又は４５に記載した方法。
【請求項４７】
異なる反復における前記競合刺激が、異なる形状、パターン、色、又は強度を有する、請求項４４ないし４６のいずれかに記載した方法。
【請求項４８】
前記競合刺激が、前記検査パターンの一部分ではない、請求項４４ないし４７のいずれかに記載した方法。
【請求項４９】
前記競合刺激が、前記検査パターンの視覚的にノイズのある背景である、請求項２６ないし４８のいずれかに記載した方法。
【請求項５０】
前記競合刺激が、前記検査パターンの範囲内である、請求項２６ないし４９のいずれかに記載した方法。
【請求項５１】
前記競合刺激が、異常を有する前記人の前記網膜の位置に、前記検査パターンが提示されるときに、人により知覚される歪みの外観を模倣する人工的歪みを含む、請求項５０に記載した方法。
【請求項５２】
前記人の少なくとも一つの前記入力が、前記入力が前記競合刺激による確率を判断するために、分析される、請求項５０又は５１に記載した方法。
【請求項５３】
前記標示が、前記標示と前記競合刺激との間の距離に応答する前記分析に使用する所与の重みである、請求項５０ないし５２のいずれかに記載した方法。
【請求項５４】
前記検査パターンの提示前に、固定目標に又はその周囲に、前記人の視界を固定することを含む、請求項２６ないし５３のいずれかに記載した方法。
【請求項５５】
前記知覚画像と前記検査パターンとの間の相違を示す入力を受信することが、前記検査パターンの一時的な歪みに関する入力を受信することを含む、請求項２６ないし５４のいずれかに記載した方法。
【請求項５６】
前記知覚画像と前記検査パターンとの間の相違を示す入力を受信することが、前記検査パターンにおける知覚された相対動作に関する入力を受信することを含む、
請求項２６ないし５５のいずれかに記載した方法。
【請求項５７】
前記知覚画像と前記検査パターンとの間の相違を示す入力を受信することが、前記検査パターンの前記知覚画像における不整列セグメントに関する入力を受信することを含む、請求項２６ないし５６のいずれかに記載した方法。
【請求項５８】
前記知覚画像と前記検査パターンとの間の相違を示す入力を受信することが、前記検査パターンに比較した前記知覚画像の霞みに関する入力を受信することを含む、請求項２６ないし５７のいずれかに記載した方法。
【請求項５９】
前記検査パターンが、少なくともいくつかの前記反復において、異なる位置に、提示される、請求項２６ないし５８のいずれかに記載した方法。
【請求項６０】
前記検査パターンの前記異なる位置が、所望の解像度で患者の網膜の選択部位をマッピングする、請求項５９に記載した方法。
【請求項６１】
前記検査パターンが、少なくともいくつかの前記反復においては、異なる向きで提示される、請求項２６ないし６０のいずれかに記載した方法。
【請求項６２】
前記検査パターンが、直線又は分割直線である、請求項２６ないし６１のいずれかに記載の方法。
【請求項６３】
前記検査パターンを提示することが、ディスプレイ装置上の表示又はビーム走査装置での投影を含む、請求項２６ないし６２のいずれかに記載の方法。
【請求項６４】
前記検査パターンの知覚画像を人に形作らせるために、第１の期間に渡って、検査パターンを提示することと、
前記人が相違を認識した場合に、前記知覚画像と前記検査パターンとの間の相違を示す入力を受信することと、
前記提示及び受信が、一回又はそれ以上反復されること、そこでは、少なくとも一つの前記反復において、所定の視覚競合感覚刺激が、検査パターンと表示されるが、その反復されることと、
前記人の眼に関する情報を判断するために、前記受信された入力を分析することと、
を含む人の眼に関するデータを取得するための方法。
【請求項６５】
異なる反復の前記競合刺激が、異なる大きさを有する、請求項６４に記載した方法。
【請求項６６】
前記分析が、少なくとも部分的に前記競合感覚刺激の前記大きさに応答する、請求項６５に記載した方法。
【請求項６７】
前記第一の期間が、１００−１６０ミリセカンドの範囲内である、請求項６４に記載の方法。